(57)【要約】【課題】  データ量を減少することで、送信時間の短縮とネットワーク付加の軽減を可能とする。【解決手段】  原稿を読み取る読取部と、前記原稿を読み取ることにより得られた画像データを記憶する記憶部と、前記画像データを送信する複数の送信先を記憶する送信先記憶部と、前記記憶部に記憶された画像データのデータ量を減少させるよう、当該画像データを変換する変換部と、前記記憶部に記憶された画像データを前記送信先記憶部に記憶された第１の送信先に送信した後、前記変換部で変換された画像データを前記送信先記憶部に記憶された第２の送信先に送信する送信部とから成ることを特徴とする。【選択図】  図１
2007274619.tif 000002
【特許請求の範囲】
【請求項１】
原稿を読み取る読取部と、
前記原稿を読み取ることにより得られた画像データを記憶する記憶部と、
前記画像データを送信する複数の送信先を記憶する送信先記憶部と、
前記記憶部に記憶された画像データのデータ量を減少させるよう、当該画像データを変換する変換部と、
前記記憶部に記憶された画像データを前記送信先記憶部に記憶された第１の送信先に送信した後、前記変換部で変換された画像データを前記送信先記憶部に記憶された第２の送信先に送信する送信部とから成ることを特徴とする画像読取装置。
【請求項２】
前記変換部は、前記画像データを圧縮することを特徴とする請求項１記載の画像読取装置。
【請求項３】
前記変換部は、前記画像データの解像度を低下させることを特徴とする請求項１記載の画像読取装置。
【請求項４】
前記変換部は、前記記憶部からワークエリアに画像データに移した後に当該画像データを変換し、前記送信部が前記第１の送信先へ画像データを送信するのと並行して当該画像データの変換が行われ、前記送信部は、前記第１の送信先への画像データの送信完了後で、かつ前記画像データの変換完了後、前記変換部で変換された画像データを前記送信先記憶部に記憶された第２の送信先に送信することを特徴とする請求項１記載の画像読取装置。
【発明の詳細な説明】
【技術分野】
【０００１】
本発明は、画像読取装置に関し、特に、読み取った画像を送信するものに関するものである。
【背景技術】
【０００２】
従来の画像読取装置において読み取った画像データを送信する場合に、同じ原稿のデータを複数の宛先に送信する場合においては、１度ある宛先に送信したデータを記憶しておき、その記憶したデータを他の宛先に、単に送信していた。
【０００３】
しかしながら、画像データのデータ量が多い場合には、複数の宛先に送信する場合、送信時間がかかり、また、ネットワークへの負担が大きくなるという欠点があった。
【特許文献１】特開平８−１７２５００号公報
【発明の開示】
【発明が解決しようとする課題】
【０００４】
解決しようとする問題点は、複数の宛先に送信する場合、送信時間がかかり、また、ネットワークへの負担が大きくなるという点である。
【課題を解決するための手段】
【０００５】
本発明は、原稿を読み取る読取部と、前記原稿を読み取ることにより得られた画像データを記憶する記憶部と、前記画像データを送信する複数の送信先を記憶する送信先記憶部と、前記記憶部に記憶された画像データのデータ量を減少させるよう、当該画像データを変換する変換部と、前記記憶部に記憶された画像データを前記送信先記憶部に記憶された第１の送信先に送信した後、前記変換部で変換された画像データを前記送信先記憶部に記憶された第２の送信先に送信する送信部とから成ることを最も主要な特徴とする。
【発明の効果】
【０００６】
本発明の画像読取装置は、複数の宛先に送信する場合、送信時間を短縮でき、また、ネットワークへの負担を軽減できるという利点がある。
【発明を実施するための最良の形態】
【０００７】
複数の宛先に送信する場合に、送信時間を短縮し、ネットワークへの負担を軽減するという目的を、電子メール送信およびファイル送信で、実現した。
【実施例１】
【０００８】
図２は、本発明の画像読取装置の実施例１を接続したシステムの構成を示す図である。
図２に示すシステムは、ローカルエリアネットワーク（ＬＡＮ）から成るネットワーク１１に接続された本発明の画像読取装置１０と、電子メールサーバ１２と、クライアントＰＣ１−１３と、クライアントＰＣ２−１４と、クライアントＰＣ３−１５とから成る。
【０００９】
画像読取装置１０は、イメージリーダなどのスキャナ装置であり、原稿の画像を光学的に走査し、ＣＣＤ（チャージカプルドデバイス）などにより画像データを取得する。
【００１０】
電子メールサーバ１２は、ＰＣ（パーソナルコンピュータ）などから成り、電子メールの送受信を行うためのサーバである。電子メールの送受信プロトコルについては、周知のように、送信プロトコルとしてＳＭＴＰを用い、ＰＯＰを用いるのが一般的である。
【００１１】
クライアントＰＣ１−１３と、クライアントＰＣ２−１４と、クライアントＰＣ３−１５とは、電子メールを送受信するためのソフトウェアがインストールされたＰＣである。これらにより、画像読取装置１０から送信された電子メールが電子メールサーバ１２を経由して受信される。
【００１２】
図１は、本発明の画像読取装置の実施例１の構成を示す図である。
図１に示す装置は、装置内部のシステムバスに接続された、送信部２０と、記憶部２１と、読取部２２と、操作入力部２３と、タイマ２４と、主制御部２５と、変換部２６と、ＲＡＭ３０とから成る。
【００１３】
送信部２０は、ネットワーク１１との接続のためのインタフェースなどから成る。これにより、送信部２０は、ネットワーク１１を介して、クライアントＰＣ１−１３、クライアントＰＣ２−１４、クライアントＰＣ３−１５に電子メールを送信する。
【００１４】
記憶部２１は、半導体メモリやハードディスク装置などから成り、読取部２２で読み取った画像データを画像記憶エリア２１１に、電子メールの宛先情報を送信先格納エリア２１２にそれぞれ記憶する。
【００１５】
読取部２２は、レンズなどを含む光学系、主走査を行うラインセンサなどの電気系、副走査を行う機械系から成り、これらにより、光学的に読み取った画像データを記憶部２１の画像記憶エリア２１１に格納する。
【００１６】
操作入力部２３は、オペレーションパネルとテンキーなどの入力装置から成り、画像読取装置１０への設定情報をオペレータが入力するために用いられる。
【００１７】
タイマ２４は、ＣＰＵクロックなどから成り、画像記憶エリア２１１に記憶された画像データの保存期間を計測するために用いられる。
主制御部２５は、ＣＰＵなどのプロセッサから成り、装置各部の動作制御を司る。
【００１８】
変換部２６は、記憶部２１の画像記憶エリア２１１に記憶された画像データに対して所定の画像変換を行う。この画像変換には、可逆圧縮、非可逆圧縮、解像度変換の３種類がある。これらの画像変換は、全く異なる方式により行われる。
【００１９】
このため、変換部２６は、それぞれ別個の画像変換を行う、可逆圧縮部２７、非可逆圧縮部２８、解像度変換部２９から成る。
【００２０】
可逆圧縮部２７は、画像データを圧縮した場合に、これを完全にもとの画像に忠実に伸張できる方式を用いている。
【００２１】
例えば、２値画像については、各画素は黒か白かの１ビットのデータであるが、画像は通常白地に黒の線画で現れるので、白の画素データが連続する部分については、白である旨の情報とその連続する数の情報とから成るデータに変換してデータ量を圧縮できる。
【００２２】
この方式では、圧縮された画像データを伸張する際には、白の数の情報で指定された数だけの白の画素データを連続させるようにすることによって、完全にもとの画像を再現できる画像データが得られる。
【００２３】
非可逆圧縮部２８は、画像データを圧縮した場合に、これを完全にもとの画像に忠実に復元することはできないが、データ量を大幅に縮小できる方式を用いている。
【００２４】
例えば、上述の２値画像について、白の画素データが連続する部分について、所定数以上の白が連続し、途中で単独の黒が現れて、また所定数以上の白が連続したような場合においては、途中に現れた単独の黒は白に変換してしまって、白である旨の情報とその連続する数の情報とから成るデータに変換してデータ量を圧縮する。
【００２５】
この方式では、圧縮された画像データを伸張する際に、白の数の情報で指定された数だけの白の画素データを連続させるようにした場合、再現された画像においては、単独の黒画素が省かれた状態の画像データが得られる。
【００２６】
よって、もとの画像が忠実に再現されない欠点があるが、画像の微細な部分のみを省略し、もとの画像の基本的な部分を保ちつつ、データ量を劇的に縮小することが可能となる。
【００２７】
解像度変換部２９は、画像データについての解像度を低下させることにより、データ量の縮小を行うものである。
【００２８】
ＲＡＭ３０は、各種のデータを一時的に記憶するためのワークエリアとして使用されるメモリであり、電子メールを送信する差異の宛先を格納する第１送信先格納エリア３０１、第２送信先格納エリア３０２を含む。
【００２９】
また、ＲＡＭ３０は、上述の画像データを圧縮し、または伸張する時のワークエリアとしても使用される。
【００３０】
次に、図７、８、９を参照して、電子メールアドレスの格納エリアについて説明する。
ここで、電子メールアドレスとは、周知のように、インターネットを使って電子メールを送信する際に用いられるアドレスで、郵便で手紙を送る場合の住所に相当する。
【００３１】
具体的には、「ａｂｃｄｅｆ＠ｘｘ．ｘｘ」の形式で構成され、「＠」の記号より前の部分の文字列が個人を識別するユーザ名、「＠」の記号より後の部分の文字列がその個人が属する組織を識別するためのドメイン名である。
【００３２】
図７は、送信先格納エリアの構成を示す図である。
送信先格納エリア２１２は、画像読取装置１０に登録されているすべての電子メールアドレスを格納したアドレスブックである。
【００３３】
各電子メールアドレス７１に対応する名前７０は、ユーザが電子メールアドレス７１を登録するときに任意に付けるものである。電子メールアドレス７１を検索する時には、この名前７０を使用する。
【００３４】
図８は、第１送信先格納エリアの構成を示す図である。
この第１送信先格納エリア３０１は、ＲＡＭ３０上にあり、電子メールアドレス８１と名前８０は、電子メールアドレス７１と名前７０を一時的に格納したものである。
【００３５】
図９は、第２送信先格納エリアの構成を示す図である。
この第２送信先格納エリア３０２は、ＲＡＭ３０上にあり、電子メールアドレス９１と名前９０は、画像データを再送信する際に、電子メールアドレス７１と名前７０を一時的に格納したものである。
【００３６】
図１０は、本発明の画像読取装置におけるオペレーションパネルの構成を示す図である。
オペレーションパネル１００を用いることにより、画像読取装置１０のオペレータは、画像読取装置１０から画像データを送信したい宛先の電子メールアドレス、画像読み取り時の原稿濃度などの設定値の入力、画像読取装置１０の読み取り動作の開始指示、電子メールの送信開始指示などを行う。
【００３７】
テンキー１０１は、「０」から「９」までの数字と、これに関連する文字および特殊記号などの記号を入力するための複数のキーボタンを備えている。
【００３８】
ディスプレイ１０２は、液晶表示装置などから成り、画像読取装置１０に対する上述したテンキー１０１による入力情報、すでに入力されている原稿の読み取り濃度の設定などの設定値、装置が読み取り可能な状態かウォーミングアップ中などで読み取りできない状態かなどの装置状態などを表示する。
【００３９】
スタートボタン１０３は、原稿の読み取り動作の開始指示を行う際と、電子メールの再送信開始指示を行う際に使用される。
【００４０】
上下左右矢印ボタン１０４は、ディスプレイ１０２に表示されたメニューを操作する際、そのメニューに含まれる任意の項目にカーソルを移動するのに使用する。
【００４１】
キャンセルボタン１０５は、ディスプレイ１０２に表示されたメニューの操作中に一旦設定した設定値をキャンセルする場合に使用する。
選択ボタン１０６は、ディスプレイ１０２に表示されたメニューの操作中にカーソルで指示された設定値を選択する場合に使用する。
【００４２】
次に、図３、４、５、６、１１、１２のフローチャートを参照して実施例１の動作を説明する。
図３は、本発明の画像読取装置における制主制御部の御手順を示す図である。
【００４３】
画像読取装置１０の主制御部２５は、まず、オペレーションパネル１００から原稿の読み取り指示があったか否かを判別する（ステップＳ３０）。
【００４４】
この判別の結果、原稿の読み取り指示があった場合、主制御部２５は、オペレーションパネル１００から指定されて記憶部２１の送信先格納エリア２１２に格納された電子メールアドレス７１（図７）をＲＡＭ３０の第１送信先格納エリア３０１に格納し、電子メールアドレス８１（図８）を設定する。
【００４５】
その後、主制御部２５は、読取部２２に指示し、読取部２２は、原稿の読み取りを開始し、読み取りにより得られた画像データを記憶部２１の画像記憶エリア２１１に記憶する。
【００４６】
その際、光学的に読み取った画像データを圧縮せずにそのまま記憶するか、あるいは変換部２６により可逆圧縮のデータ変換を施してから記憶部２１の画像記憶エリア２１１に記憶する。
【００４７】
圧縮せずにそのまま記憶するか、あるいは可逆圧縮のデータ変換を施してから記憶するかについては、オペレーションパネル１００を用いて予めユーザにより設定されている。
【００４８】
主制御部２５は、画像記憶エリア２１１に画像データを格納した後、送信部２０に指示し、送信部２０は、ＲＡＭに指定された第１送信先の電子メールアドレス８１に電子メールを送信する（ステップＳ３３）。
【００４９】
その後、主制御部２５は、オペレーションパネル１００から画像データの消去指示があるか否かを判別する（ステップＳ３４）。この指示もオペレーションパネル１００を用いて予めオペレータにより記憶部２１に設定されている。
【００５０】
この判別の結果、画像データの消去指示がある場合、画像データ消去処理（ステップＳ３５）に移行する。画像データの消去指示がない場合、画像データ消去処理（ステップＳ３５）を行わない。
【００５１】
図６は、画像データの消去処理手順を示す図である。
画像データの消去処理は、画像記憶エリア２１１の記憶容量を常時確保することによって原稿の読み取りに支障が生じないようにするために行われる。これは、主制御部２５により行われる。
【００５２】
主制御部２５は、まず、画像データの保管容量の制限値を超えて画像データが格納されているか否かを判別する（ステップＳ６０）。これは、画像記憶エリア２１１には、所定の容量制限があり、実際に容量オーバーにより画像データの格納が不能となる前に保管の継続を制限するものである。
【００５３】
この判別の結果、所定の容量制限値を超えている場合、画像記憶エリア２１１に格納されている画像データの一番古いものから順に所定の容量制限値以下に収まるように画像データを消去する（ステップＳ６３）。
【００５４】
この判別の結果、所定の容量制限値を超えていない場合、主制御部２５は、次に、所定の保管時間を過ぎた画像データが画像記憶エリア２１１に記憶されているか否かを判別する（ステップＳ６１）。
【００５５】
この判別の結果、所定の保管時間を過ぎた画像データが画像記憶エリア２１１に記憶されている場合、主制御部２５は、当該画像データを消去する（ステップＳ６３）。ここに、所定の保管時間は、オペレーションパネル１００を用いて予めユーザにより設定されている。
【００５６】
また、保管時間の計時には、タイマ２４が使用される。この場合、画像データが記憶エリア２１１に格納された時点でタイマの計時が開始される。
【００５７】
ステップＳ６１の判別の結果、所定の保管時間を過ぎた画像データが画像記憶エリア２１１に記憶されていない場合、主制御部２５は、次に、オペレーションパネル１００から画像データの消去指示がされているか否かを再判別すなわち確認する（ステップＳ６２）。
【００５８】
この判別の結果、画像データの消去指示がある場合、当該消去指示により選択されている画像データを画像記憶エリア２１１から消去する（ステップＳ６３）。
【００５９】
ステップＳ６２の判別の結果、画像データの消去指示がない場合、主制御部２５は、画像データ消去処理を終了し、図３の処理に戻る。
【００６０】
図３の処理に戻った後、主制御部２５は、オペレーションパネル１００から画像データを電子メールにより再送信する指示が出されているか否かを判別する（ステップＳ３６）。
【００６１】
この判別の結果、再送信の指示が出されている場合、再送信処理を行う（ステップＳ３７）。
【００６２】
図４は、本発明の画像読取装置における画像データの再送信処理手順を示す図である。
主制御部２５は、まず、画像記憶エリア２１１に画像データが格納されているか否かを判別する（ステップＳ４０）。
【００６３】
この判別の結果、再送信すべき画像データが画像記憶エリア２１１に記憶されている場合、第１送信先格納エリアに格納されている電子メールアドレスを宛先にセットし（ステップＳ４１）、記憶部内にある画像データを添付した電子メールを第１送信先に送信する（ステップＳ４２）。
【００６４】
次に、主制御部２５は、電子メールの送信先について、追加の送信先があるか否かを判別する（ステップＳ４３）。
この判別の結果、追加の送信先がある場合、追加された電子メールアドレスを第２送信先格納エリア３０２に追加する（ステップＳ４４）。
【００６５】
そして、変換部２６における非可逆圧縮部２８により、記憶部内に記憶されている画像データに非可逆圧縮を加える（ステップＳ１５）。
【００６６】
図５は、本発明に係る非可逆圧縮処理の手順を示す図である。
非可逆圧縮部２８は、まず、画像記憶エリア２１１に記憶されている画像データをＲＡＭ３０の領域に転記する（ステップＳ５０）。
【００６７】
その後、ＲＡＭ３０の領域に転記された画像データに対し、所定サイズの部分ごとに非可逆圧縮を加える（ステップＳ５１）。
そして、非可逆圧縮された画像データの部分をＲＡＭ３０に再格納する（ステップＳ５２）。
【００６８】
これを圧縮の対象となっている画像データのすべての部分について行う（ステップＳ５３）。
【００６９】
非可逆圧縮処理の終了した後、図４の処理に戻り、非可逆圧縮が加えられた画像データを電子メールに添付して第２送信先格納エリア３０２に格納されている宛先に対し、その電子メールを送信する（ステップＳ４６）。
【００７０】
その後、図４の再送信処理を終了し、図３に戻り、画像データ消去処理を行う（ステップＳ３８）。
その後、図３の処理を繰り返し行う。
【００７１】
次に、上述した動作における再送信処理において、画像読取装置１０の送信部２０が動作する過程について説明する。
【００７２】
図１１は、従来における再送信処理の過程を示す図である。
操作入力部２３からの再送信指示（ステップＳ１１０）を送信部２０が受けると、送信部２０は、画像記憶エリア２１１に記憶されているそのままの画像データまたは可逆圧縮された画像データを第１の宛先に送信する（ステップＳ１１１）。
【００７３】
そして、第２の宛先に同じ電子メールを送信し（ステップＳ１１２）、更に、第３の宛先に同じ電子メールを送信する（ステップＳ１１３）。
【００７４】
つまり、図１１の例では、同じ画像データを３回送信することになるので、送信を完了するまでに１回目の送信時間の３倍の時間を必要となる。
【００７５】
図１２は、本発明における再送信処理の過程を示す図である。
これに対して、本発明の再送信処理においては、操作入力部２３からの再送信指示（ステップＳ１２０）を送信部２０が受けると、送信部２０は、画像記憶エリア２１１に記憶されているそのままの画像データまたは可逆圧縮された画像データを第１の宛先に送信する（ステップＳ１２１）。
【００７６】
そして、この送信開始直後に、非可逆圧縮部２８は、画像記憶エリア２１１に記憶されている画像データに対して非可逆圧縮を加えることにより、画像データ変換を行う（ステップＳ１２２）。
【００７７】
その後、第２の宛先に非可逆圧縮を加えた画像データを添付した電子メールを送信し（ステップＳ１２３）、更に、第３の宛先に同じ電子メールを送信する（ステップＳ１２４）。
【００７８】
つまり、送信部２０が第１の宛先へ画像データを送信するのと並行して、変換部２６における非可逆圧縮部２８が非可逆圧縮によるデータ変換を行い、第１の宛先への画像データ送信を完了した送信部２０が非可逆圧縮部２８による画像データの圧縮完了後、その圧縮された画像データを第２、３の宛先へ送信する。
【００７９】
これにより、第２、３の宛先へは、第１の宛先に送信された画像データと比較して劇的に小さくなった画像データを送信することができ、送信時間が短縮される。
【００８０】
以上詳述したように、本発明の実施例１によれば、複数の宛先へデータ量の多い画像データを送信する場合において、送信時間を大幅に短縮することができる。また、ネットワーク上を流れるデータ量を少なくできることから、ネットワークに対する付加を軽減することができる。
【実施例２】
【００８１】
実施例２の特徴は、画像データの再送信を行う際に、電子メールを用いる代わりに、ファイルサーバへの格納を行う点である。
【００８２】
電子メール送信では、受信側サーバによっては、メール容量制限を行う場合があるが、ファイルサーバでは、容量制限を行わないので、大容量の画像データでも送信が可能となる。
【００８３】
以下、図１３、１４、１５、１６、１７を参照しつつ、主に実施例１で参照した図１、２、７、８、９との違いを説明する。
【００８４】
図１３は、本発明の画像読取装置の実施例２を接続したシステムの構成を示す図である。
図１３では、図２に対して、ファイルサーバ１６を追加している。
【００８５】
ファイルサーバ１６は、ネットワーク１１を介して画像読取装置１０、クライアントＰＣ１−１３、ＰＣ２−１４、ＰＣ３−１５と接続されている。
【００８６】
ファイルサーバプロトコルの種類としては、一般的には、ＦＴＰ（ＦｉｌｅＴｒａｎｓｆｅｒＰｒｏｔｏｃｏｌ）、ＣＩＦＳ（ＣｏｍｍｏｎＩｎｔｅｒｎｅｔＦｉｌｅＳｙｓｔｅｍ）、ＨＴＴＰ（ＨｙｐｅｒＴｅｘｔＴｒａｎｓｆｅｒＰｒｏｔｏｃｏｌ）などがある。
【００８７】
図１４は、本発明の画像読取装置の実施例２の構成を示す図である。
図１４では、図１に対して、以下の３つのエリアを追加している。
【００８８】
ファイル送信先格納エリア２１３は、ファイルサーバへの送信先情報を格納しておくエリアである。
【００８９】
ファイル第１送信先格納エリア３０３は、ＲＡＭ３０上にあり、ファイルサーバへの第１の宛先情報を格納するエリアである。
【００９０】
ファイル第２送信先格納エリア３０４は、ＲＡＭ３０上にあり、ファイルサーバへの第２の宛先情報を格納するエリアである。
【００９１】
図１５は、実施例２における送信先格納エリアの構成を示す図である。
図１５に示すファイル送信先格納エリア２１３は、画像読取装置１０に登録されているすべてのファイルサーバアドレスを格納しているアドレスブックである。
【００９２】
各ファイルサーバアドレスに対応する名前１５０は、ユーザがファイルサーバアドレス１５１を登録する際に任意に付けるものである。
【００９３】
ファイルサーバアドレスの検索の際は、この名前を使用する。
【００９４】
図１６は、実施例２における第１送信先格納エリアの構成を示す図である。
図１６に示すエリアは、ファイルサーバアドレスを一時的に格納するエリアとして使用される。
【００９５】
このエリアは、ファイル送信先格納エリア２１３と同様に、名前１６０とファイルサーバアドレス１６１とで構成されている。
【００９６】
図１７は、実施例２における第２送信先格納エリアの構成を示す図である。
図１７に示すエリアは、画像データの再送信の際に、第２の送信先の宛先情報としてファイルサーバアドレスを一時的に格納するエリアとして使用される。
【００９７】
このエリアは、ファイル送信先格納エリア２１３と同様に、名前１７０とファイルサーバアドレス１７１とで構成されている。
【００９８】
これらのファイルサーバアドレスの選択は、オペレーションパネル１００を用いて行う。
【００９９】
次に、実施例２の動作を説明する。
実施例２の動作については、実施例１の動作において電子メールサーバがファイルサーバと置き換わって全く同じ動作を行う。
【０１００】
そのため、実施例１の動作の説明で用いた図３、４を流用して実施例２の動作を説明する。
【０１０１】
再送信処理において、画像読取装置１０の主制御部２５は、まず、送信部２０に対し、第１送信先のファイルサーバアドレス１６１が示すファイルサーバへ画像データを送信する指示を出す（ステップＳ４０、４１、４２）。
【０１０２】
この指示により、送信部は、画像データの送信を開始する。
【０１０３】
再送信処理の際に、追加の送信先がある場合、指示されたアドレスが第２送信先格納エリアに追加され（ステップＳ４３、４４）、送信部による送信処理と並行して画像データが圧縮される（ステップＳ４５）。
【０１０４】
送信部は、圧縮の完了後、圧縮されたデータをファイルサーバに送る（ステップＳ４６）。
【０１０５】
ファイルサーバに圧縮された画像データが格納された後は、各クライアントＰＣは、ファイルサーバにアクセスすることにより画像データを取得できる。その際、データ量の少ないデータをアクセスすることにより画像データのアクセス時間を短縮でき、ネットワーク付加を軽減できる。
【０１０６】
上述した実施例２によれば、実施例１の電子メール送信と異なり、送信データ容量の制限がなく、画像データのサイズを意識せずに再送信することができる。
【０１０７】
なお、本発明は、上述した実施例に限定されず、種々の変形ができ、スキャナ装置に限らず、ファクシミリ、複写機、複合機（ＭＦＰ）にも適用できる。
【０１０８】
また、電子メール送信とファイルサーバへの送信に限らず、ファックス送信にも適用できる。
【図面の簡単な説明】
【０１０９】
【図１】本発明の画像読取装置の実施例１の構成を示す図である。
【図２】本発明の画像読取装置の実施例１を接続したシステムの構成を示す図である。
【図３】本発明の画像読取装置における主制御部の制御手順を示す図である。
【図４】本発明の画像読取装置における画像データの再送信処理手順を示す図である。
【図５】本発明に係る非可逆圧縮処理の手順を示す図である。
【図６】画像データの消去処理手順を示す図である。
【図７】送信先格納エリアの構成を示す図である。
【図８】第１送信先格納エリアの構成を示す図である。
【図９】第２送信先格納エリアの構成を示す図である。
【図１０】本発明の画像読取装置におけるオペレーションパネルの構成を示す図である。
【図１１】従来における再送信処理の過程を示す図である。
【図１２】本発明における再送信処理の過程を示す図である。
【図１３】本発明の画像読取装置の実施例２を接続したシステムの構成を示す図である。
【図１４】本発明の画像読取装置の実施例２の構成を示す図である。
【図１５】実施例２における送信先格納エリアの構成を示す図である。
【図１６】実施例２における第１送信先格納エリアの構成を示す図である。
【図１７】実施例２における第２送信先格納エリアの構成を示す図である。
【符号の説明】
【０１１０】
１０    画像読取装置
１１    ネットワーク
１２    電子メールサーバ
１３    クライアントＰＣ１
１４    クライアントＰＣ２
１５    クライアントＰＣ３
２０    送信部
２１    記憶部
２２    読取部
２６    変換部
【図１】
2007274619.tif 000003
【図２】
2007274619.tif 000004
【図３】
2007274619.tif 000005
【図４】
2007274619.tif 000006
【図５】
2007274619.tif 000007
【図６】
2007274619.tif 000008
【図７】
2007274619.tif 000009
【図８】
2007274619.tif 000010
【図９】
2007274619.tif 000011
【図１０】
2007274619.tif 000012
【図１１】
2007274619.tif 000013
【図１２】
2007274619.tif 000014
【図１３】
2007274619.tif 000015
【図１４】
2007274619.tif 000016
【図１５】
2007274619.tif 000017
【図１６】
2007274619.tif 000018
【図１７】
2007274619.tif 000019